【手続補正書】
【提出日】平成18年12月14日(2006.12.14)
【手続補正１】
【補正対象書類名】明細書
【補正対象項目名】特許請求の範囲
【補正方法】変更
【補正の内容】
【特許請求の範囲】
【請求項１】  縦軸線、横軸線、前記横軸線に平行な前部及び後部ウェストエッジ、前記前部及び後部ウェストエッジの間に延びる両側の側部エッジ、前記前部ウェストエッジと連続した前部ウェスト領域、前記後部ウェストエッジと連続した後部ウェスト領域、及び、前記前部及び後部ウェスト領域の間に延びてそれらを相互接続する股部領域を形成するシャーシを備え、該シャーシは、
前記縦軸線に平行な両側の線形側部エッジと前記横軸線に平行な両端の線形端部エッジとを有し、身体側ライナと前記身体側ライナに結合された外側カバーと前記身体側ライナ及び前記外側カバーの間に配置された吸収体アセンブリとを含む、矩形複合構造体、
前記前部ウェスト領域において前記複合構造体に結合された第１及び第２の前部サイドパネル、及び、
前記後部ウェスト領域において前記複合構造体に結合された第１及び第２の後部サイドパネル、
を含み、
吸収性物品をパンツ状の形態で解除自在に固定するために固定装置が設けられ、該固定装置は、前記第１及び第２の後部サイドパネルの各々に結合された第１及び第２の固定用構成要素を含み、該第１及び第２の固定用構成要素が、対応する前記第１及び第２の前部サイドパネルの各々に結合された第１及び第２の受け側固定用構成要素に解除自在に係合するようにされており、
前記固定用構成要素と前記吸収体アセンブリとの間にエラストマー構成要素が横方向に配置され、
前記第１及び第２の固定用構成要素間の横方向距離は、前記第１及び第２の受け側固定用構成要素間の横方向距離と実質的に等しく、
前記パンツ状の形態は、ウェスト開口部と脚開口部とを形成し、前記固定用構成要素と前記受け側固定用構成要素との係合は、前記ウェスト開口部と前記脚開口部との間の距離の約９０から約９８パーセントを覆う再固定自在なシームを形成する、
ことを特徴とする、吸収性物品。
【請求項２】  縦軸線、横軸線、前記横軸線に平行な第１及び第２のウェストエッジ、前記第１及び第２のウェストエッジの間に延びる両側の側部エッジ、前記第１のウェストエッジと連続した第１のウェスト領域、前記第２のウェストエッジと連続した第２のウェスト領域、及び、前記第１及び第２のウェスト領域の間に延びてそれらを相互接続する股部領域を形成する吸収性シャーシを備え、該シャーシは、
前記縦軸線に平行な相対する線形側部エッジと前記横軸線に平行な両側の線形端部エッジとを有し、身体側ライナと前記身体側ライナに結合された外側カバーと前記身体側ライナ及び前記外側カバーの間に配置された吸収体アセンブリとを含む、矩形複合構造体、
前記第１のウェスト領域において前記複合構造体に結合された第１及び第２のエラストマー・サイドパネル、
前記第２のウェスト領域において前記複合構造体に結合された第１及び第２のエラストマー・サイドパネル、
前記第１のウェスト領域において前記第１及び第２のエラストマー・サイドパネルと結合され、前記第１及び第２のエラストマー・サイドパネルから横方向外向きに延びる支持部材、及び
前記第２のウェスト領域において前記第１及び第２のエラストマー・サイドパネルと結合され、前記第１及び第２のエラストマー・サイドパネルから横方向外向きに延びる支持部材、
を含み、と、
吸収性物品をパンツ状の形態で解除自在に固定するために固定装置が設けられ、該固定装置は、前記第１のウェスト領域の前記支持部材上に配置された第１及び第２の受け側固定用構成要素を含み、該受け側固定用構成要素が前記第２のウェスト領域の前記支持部材上に配置された第１及び第２の固定用構成要素に解除自在に係合するようになっており、
前記第１のウェスト領域の前記エラストマー・サイドパネルは、前記第２のウェスト領域の前記エラストマー・サイドパネルから縦方向に間隔を空けて配置され、前記第１のウェスト領域の前記エラストマー・サイドパネルの幅は、前記第２のウェスト領域の前記エラストマー・サイドパネルの幅と同じである、
ことを特徴とする、吸収性物品。
【請求項３】  前記第１及び第２の固定用構成要素は、前記支持部材の一体式部分を含むことを特徴とする請求項２に記載の吸収性物品。
【請求項４】  前記支持部材は、ループ材料を含むことを特徴とする請求項３に記載の吸収性物品。
【請求項５】  トイレを使用するように子供を訓練するのに用いるトレーニングパンツであって、
縦軸線、横軸線、前記縦軸線に平行な全長寸法、前記横軸線に平行な前部及び後部ウェストエッジ、前記前部及び後部ウェストエッジの間に延びる両側の側部エッジ、前記前部ウェストエッジと連続した前部ウェスト領域、前記後部ウェストエッジと連続した後部ウェスト領域、及び、前記前部及び後部ウェスト領域の間に延びてそれらを相互接続する股部領域を形成する吸収性シャーシを備え、該吸収性シャーシは、
前記縦軸線に平行な両側の線形側部エッジと前記横軸線に平行な両端の線形端部エッジとを有する矩形複合構造体を含み、該矩形複合構造体は、
（ａ）液体透過性身体側ライナと、
（ｂ）前記身体側ライナに結合された、液体不透過性内層と不織外層とを含む液体不透過性外側カバーと、
（ｃ）前記外側カバーに配置された外側カバー・グラフィックと、
（ｄ）前記身体側ライナと前記外側カバーとの間に配置された親水性繊維を含む吸収体アセンブリと、
（ｅ）前記複合構造体の前記側部エッジに沿って縦方向に並んだ脚部弾性部材と、
を含み、
前記シャーシは、前記前部ウェスト領域において前記複合構造体に結合された第１及び第２の前部サイドパネルを含み、前記前部サイドパネルの各々は、遠位エッジ、前記遠位エッジと前記複合構造体との間の内側部分、前記横軸線に平行であり前記前部ウェストエッジの一部を形成するウェスト端部エッジ、及び、前記側部エッジの一部を形成する脚端部エッジを有し、これら前部サイドパネルは、平均長さ寸法が前記全長寸法の約２０パーセント又はそれ以上であり、
前記シャーシはさらに、前記後部ウェスト領域において前記複合構造体に結合され、かつ、前記第１及び第２の前部サイドパネルから縦方向に間隔を空けて配置された第１及び第２の後部サイドパネルを含み、前記後部サイドパネルの各々は、遠位エッジ、前記遠位エッジと前記複合構造体との間の内側部分、前記横軸線に平行であり前記後部ウェストエッジの一部を形成するウェスト端部エッジ、及び、前記側部エッジの一部を形成する脚端部エッジを有し、これら後部サイドパネルは、平均長さ寸法が前記全長寸法の約２０パーセント又はそれ以上であり、  前記シャーシにおいて前記サイドパネルを前記横軸線にほぼ平行な方向でエラストマー性にするために、少なくとも前記内側部分の相対する不織層の間にエラストマー材料が配置され、
ウェスト開口部と１対の脚開口部とを有するパンツ状の形態に前記吸収性シャーシを解除自在に固定するために固定装置が設けられ、
前記固定装置は、第１及び第２の受け側固定用構成要素と解除自在に係合するようになっている第１及び第２の固定用構成要素を含み、
前記第１及び第２の固定用構成要素は、前記遠位エッジに隣接する対応する前記第１及び第２の後部サイドパネルの各々に結合され、
前記第１及び第２の受け側固定用構成要素は、前記遠位エッジに隣接する対応する前記第１及び第２の前部サイドパネルの各々に結合され、
前記固定用構成要素と前記受け側固定用構成要素の各々は、約５又はそれ以上の長さ対幅比を有する機械的留め具を含み、
前記固定用構成要素と前記受け側固定用構成要素との係合が、前記ウェスト開口部と前記脚開口部との間の距離の約８０から約１００パーセントを覆う再固定自在なシームを形成する、
ことを特徴とするトレーニングパンツ。
【請求項６】  縦軸線、横軸線、前記横軸線に平行な前部及び後部ウェストエッジ、前記前部及び後部ウェストエッジの間に延びる両側の側部エッジ、前記前部ウェストエッジと連続した前部ウェスト領域、前記後部ウェストエッジと連続した後部ウェスト領域、及び、前記前部及び後部ウェスト領域の間に延びてそれらを相互接続する股部領域を形成する吸収性シャーシを備え、前記前部ウェスト領域が、横方向両側の一対の前部サイドパネルと、前記前部サイドパネルの間に置かれてそれらを相互接続する前部中央パネルとを形成し、前記後部ウェスト領域が、横方向両側の一対の後部サイドパネルと、前記後部サイドパネルの間に置かれてそれらを相互接続する後部中央パネルとを形成し、前記再度パネルの少なくとも一対は、前記横軸線にほぼ平行な方向にエラストマー性であり、前記吸収性シャーシは、身体側ライナと前記身体側ライナに結合された外側カバーと前記身体側ライナ及び前記外側カバーの間に配置された吸収体アセンブリとを含み、
吸収性物品をパンツ状の形態で解除自在に固定するために固定装置が設けられ、該固定装置は、前記後部サイドパネル上に配置された第１及び第２の固定用構成要素を含み、該固定用構成要素が前記前部サイドパネル上に配置された第１及び第２の受け側固定用構成要素に解除自在に係合するようになっており、
前記第１及び第２の固定用構成要素間の横方向距離は、前記第１及び第２の受け側固定用構成要素間の横方向距離と実質的に等しく、
更に脚部弾性部材が、前記股部領域において各側部エッジに沿って縦方向に配置され、該脚部弾性部材は、前記前部サイドパネルの縦方向に最も内側の部分に隣接して位置する前部端末点と前記後部サイドパネルの縦方向に最も内側の部分に隣接して位置する後部端末点とを有する、
ことを特徴とする、吸収性物品。
【請求項７】  縦軸線、横軸線、前記横軸線に平行な前部及び後部ウェストエッジ、前記前部及び後部ウェストエッジの間に延びる両側の側部エッジ、前記前部ウェストエッジと連続した前部ウェスト領域、前記後部ウェストエッジと連続した後部ウェスト領域、及び、前記前部及び後部ウェスト領域の間に延びてそれらを相互接続する股部領域を形成する吸収性シャーシを備え、前記前部ウェスト領域が、横方向両側の一対の前部サイドパネルと、前記前部サイドパネルの間に置かれてそれらを相互接続する前部中央パネルとを形成し、前記後部ウェスト領域が、横方向両側の一対の後部サイドパネルと、前記後部サイドパネルの間に置かれてそれらを相互接続する後部中央パネルとを形成しており、前記サイドパネルの少なくとも一対は、前記横軸線にほぼ平行な方向にエラストマー性であり、前記吸収性シャ−シは、身体側ライナと、前記身体側ライナに結合された外側カバーと、前記身体側ライナ及び前記外側カバーの間に配置された吸収体アセンブリとを含み、
吸収性物品をパンツ状の形態で解除自在に固定するために固定装置が設けられ、該固定装置は、前記後部サイドパネル上に配置された第１及び第２の固定用構成要素を含み、これら固定用構成要素が、前記前部サイドパネルに配置された第１及び第２の受け側固定用構成要素に解除自在に係合するようになっており、
前記第１及び第２の固定用構成要素間の横方向距離は、前記第１及び第２の受け側固定用構成要素間の横方向距離と実質的に等しく、
前記第１及び第２の固定用構成要素は、前記後部ウェスト領域において前記後部ウェストエッジに当接して配置され、前記第１及び第２の受け側固定用構成要素は、前記前部ウェスト領域において前部ウェストエッジに当接して配置される、
ことを特徴とする、吸収性物品。
【請求項８】  縦軸線、横軸線、前記横軸線に平行な前部及び後部ウェストエッジ、前記前部及び後部ウェストエッジの間に延びる両側の側部エッジ、前記前部ウェストエッジと連続した前部ウェスト領域、前記後部ウェストエッジと連続した後部ウェスト領域、及び、前記前部及び後部ウェスト領域の間に延びてそれらを相互接続する股部領域を形成する吸収性シャーシを備え、該吸収性シャーシは、
前記縦軸線に平行な両側の線形側部エッジと前記横軸線に平行な両端の線形端部エッジとを有し、身体側ライナと前記身体側ライナに結合された外側カバーと前記身体側ライナ及び前記外側カバーの間に配置された吸収体アセンブリとを含む、矩形複合構造体、
前記前部ウェスト領域において前記複合構造体に結合されて、各々が、前記矩形複合構造体の相対する線形側部エッジの対応する各々から延びる、吸収性物品の縦方向中心に向けて配置された脚端部エッジを形成する、第１及び第２の前部サイドパネル、及び、
前記後部ウェスト領域において前記複合構造体に結合されて、各々が、前記矩形複合構造体の相対する線形側部エッジの対応する各々から延びる、吸収性物品の縦方向中心に向けて配置された脚端部エッジを形成する、第１及び第２の後部サイドパネル、
を含み、
前記前部サイドパネルが、前記後部サイドパネルから縦方向に間隔を開けて配置され、
吸収性物品をパンツ状の形態で解除自在に固定するための固定装置が設けられ、該固定装置は、対応する前記第１及び第２の後部サイドパネルの各々に結合された第１及び第２の固定用構成要素を含み、該固定用構成要素が対応する前記第１及び第２の前部サイドパネルの各々に結合された第１及び第２の受け側固定用構成要素に解除自在に係合するようになっており、
前記固定用構成要素と前記吸収体アセンブリとの間に横方向にエラストマー構成要素が配置され、
前記第１及び第２の固定用構成要素間の横方向距離は、前記第１及び第２の受け側固定用構成要素間の横方向距離と実質的に等しい、
ことを特徴とする、吸収性物品。
【請求項９】  前記第１及び第２の固定用構成要素は、前記後部ウェスト領域において前記後部ウェストエッジに当接して配置され、前記第１及び第２の受け側固定用構成要素は、前記前部ウェスト領域において前部ウェストエッジに当接して配置されることを特徴とする請求項８に記載の吸収性物品。
【請求項１０】  各サイドパネルは、前記横軸線に平行であって前記ウェストエッジのうちの１つの一部を形成するウェスト端部エッジ、及び前記ウェスト端部エッジと実質的に平行な両端の脚端部エッジを持ち、各サイドパネルは、前記ウェスト端部エッジから前記脚端部エッジまでエラストマー性であることを特徴とする請求項８に記載の吸収性物品。
【請求項１１】  吸収性物品は、全長寸法を持ち、前記サイドパネルの平均長さ寸法が前記全長寸法の約２０パーセント又はそれ以上であることを特徴とする請求項８に記載の吸収性物品。
【請求項１２】  前記吸収性シャーシは、内面及び反対側の外面を形成し、前記第１及び第２の固定用構成要素は、前記内面に配置されたループ式留め具を含み、前記第１及び第２の受け側固定用構成要素は、前記外面に配置されたフック式留め具を含み、前記ループ式留め具は、前記かみ合いフック式留め具よりも大きく寸法が取られることを特徴とする請求項８に記載の吸収性物品。
【請求項１３】  吸収性シャーシと、前記吸収性シャーシの前部ウェスト領域を前記吸収性シャーシの後部ウェスト領域に解除自在に取り付けてウェスト開口部と１対の脚開口部とを有する再固定自在パンツを形成する固定装置とを含む使い捨て吸収性物品であって、前記再固定自在パンツは、
前記ウェスト開口部から各脚開口部まで延びる１対のエラストマー不織前部サイドパネルと、
前記ウェスト開口部から各脚開口部まで延びる１対のエラストマー不織後部サイドパネルと、
エラストマー前部サイドパネルとエラストマー後部サイドパネルとの間に各々が配置された、前記ウェスト開口部から各脚開口部まで延びる１対の再固定自在シームと、
各脚開口部を部分的に取り囲み、各々が、前記前部ウェスト領域のエラストマー前部サイドパネルの近傍から前記後部ウェスト領域のエラストマー後部サイドパネルの近傍まで延びる、１対のエラストマー脚部材と、
を含む、
ことを特徴とする使い捨て吸収性物品。
【請求項１４】  前記再固定自在パンツは、
前記前部ウェスト領域に配置され、前記１対のエラストマー前部サイドパネルの間に置かれるエラストマー前部ウェストバンドと、
前記後部ウェスト領域に配置され、前記１対のエラストマー後部サイドパネルの間に置かれるエラストマー後部ウェストバンドと、
を更に含むことを特徴とする請求項１３に記載の使い捨て吸収性物品。
【請求項１５】  使い捨て吸収性物品は、全長寸法を有し、前記前部サイドパネルは、前記後部サイドパネルから縦方向に間隔を空けて配置され、前記前部及び後部サイドパネルは、前記全長寸法の約２０パーセント又はそれ以上の平均長さ寸法を持つことを特徴とする請求項１３に記載の使い捨て吸収性物品。
【請求項１６】  縦軸線、横軸線、前記横軸線に平行な前部及び後部ウェストエッジ、前記前部及び後部ウェストエッジの間に延びる両側の側部エッジ、前記前部ウェストエッジと連続した前部ウェスト領域、前記後部ウェストエッジと連続した後部ウェスト領域、及び、前記前部及び後部ウェスト領域の間に延びてそれらを相互接続する股部領域を形成しており、前記前部ウェスト領域が、１対の横方向に相対する前部サイドパネルと、前記前部サイドパネルの間に置かれてそれらを相互接続する前部中央パネルとを形成し、前記後部ウェスト領域が、１対の横方向に相対する後部サイドパネルと、前記後部サイドパネルの間に置かれてそれらを相互接続する後部中央パネルとを形成し、前記サイドパネルの少なくとも一対は、前記横軸線にほぼ平行な方向にエラストマー性である吸収性シャーシと、
吸収性物品をパンツ状の形態で解除自在に固定する固定装置と、
を含み、前記固定装置は、対応する第１及び第２の後部サイドパネルの各々に配置された第１及び第２の固定用構成要素を含み、これら固定用構成要素が対応する第１及び第２の前部サイドパネルの各々に配置された第１及び第２の受け側固定用構成要素に解除自在に係合するようになっており、
前記吸収性シャーシは、身体側ライナと、前記身体側ライナに結合され矩形液体不透過性内層及び不織外層を含む外側カバーと、前記身体側ライナと前記外側カバーの間に配置された吸収体アセンブリとを含み、
前記サイドパネルは、前記矩形液体不透過性内層から横方向外向きに突出し、かつ前記サイドパネルは、前記外側カバーの前記不織外層の一部分として形成された不織材料を含む、
ことを特徴とする吸収性物品。
【請求項１７】  両方の対のサイドパネルは、前記横軸線とほぼ平行な方向にエラストマー性であり、各エラストマー性サイドパネルは、遠位エッジを形成し、
各前部サイドパネルは、前記遠位エッジと前記前部中央パネルの間に配置された内部部分を含み、各後部サイドパネルは、前記遠位エッジと前記後部中央パネルの間に配置された内部部分を含み、
各サイドパネルは、その前記内部部分に配置された一片の弾性材料を更に含む、
ことを特徴とする請求項１６に記載の吸収性物品。
【請求項１８】  弾性材料の各片は、前記不織外層に直接結合され、かつ弾性材料の各片は、前記不織外層を含む中間要素によって前記液体不透過性内層に間接的に結合されていることを特徴とする請求項１７に記載の吸収性物品。
【請求項１９】  前記エラストマー性の第１の前部サイドパネルの横方向幅は、前記エラストマー性の第１の後部サイドパネルの横方向幅に等しく、前記エラストマー性の第２の前部サイドパネルの横方向幅は、前記エラストマー性の第２の後部サイドパネルの横方向幅に等しいことを特徴とする請求項１７に記載の吸収性物品。
【請求項２０】  前記第１及び第２の固定用構成要素は、前記対応する第１及び第２の後部サイドパネルの各々に結合され、前記第１及び第２の受け側固定用構成要素は、前記対応する第１及び第２の前部サイドパネルの各々に結合されていることを特徴とする請求項１６に記載の吸収性物品。
【請求項２１】  前記第１及び第２の固定用構成要素間の横方向距離は、前記第１及び第２の受け側固定用構成要素間の横方向距離と実質的に等しいことを特徴とする請求項２０に記載の吸収性物品。
【請求項２２】  縦軸線、横軸線、前記横軸線に平行な前部及び後部ウェストエッジ、前記前部及び後部ウェストエッジの間に延びる両側の側部エッジ、前記前部ウェストエッジと連続した前部ウェスト領域、前記後部ウェストエッジと連続した後部ウェスト領域、及び、前記前部及び後部ウェスト領域の間に延びてそれらを相互接続する股部領域を形成する吸収性シャーシを備え、該吸収性シャーシは、
前記横軸線に平行な両端の線形端部エッジを有し、身体側ライナと、前記身体側ライナに結合された液体不透過性層と、前記身体側ライナ及び外側カバーの間に配置された吸収体アセンブリとを含む、矩形複合構造体、
前記前部ウェスト領域において前記矩形複合構造体から延びて、それに間接的に結合された第１及び第２のエラストマー性前部サイドパネル、及び、
前記後部ウェスト領域において前記矩形複合構造体から延びて、それに間接的に結合された第１及び第２のエラストマー性後部サイドパネル、
を含み、
吸収性物品をパンツ状の形態で解除自在に固定するための固定装置が設けられ、該固定装置は、対応する前記第１及び第２の後部サイドパネルの各々に配置された第１及び第２の固定用構成要素を含み、これら固定用構成要素が対応する前記第１及び第２の前部サイドパネルの各々に配置された第１及び第２の受け側固定用構成要素に解除自在に係合するようになった、
ことを特徴とする吸収性物品。
【請求項２３】  各エラストマー性前部サイドパネルは、前記矩形複合構造体の相対する線形側部エッジの対応する各々から延びる、吸収性物品の縦方向中心に向けて配置された脚端部エッジを形成し、
各エラストマー性後部サイドパネルは、前記矩形複合構造体の相対する線形側部エッジの対応する各々から延びる、吸収性物品の前記縦方向中心に向けて配置された脚端部エッジを形成し、
前記エラストマー性前部サイドパネルは、前記エラストマー性後部サイドパネルから縦方向に間隔を開けて配置されている、
ことを特徴とする請求項２２に記載の吸収性物品。
【請求項２４】  前記吸収性シャーシは、前記液体不透過性層の衣類に面する表面に結合された外側不織層を更に含むことを特徴とする請求項２２に記載の吸収性物品。
【請求項２５】  前記外側不織層は、矩形であることを特徴とする請求項２４に記載の吸収性物品。
【請求項２６】  各エラストマー性サイドパネルは、前記外側不織層を含む中間要素への直接結合を通じて前記矩形複合構造体に間接的に結合されていることを特徴とする請求項２４に記載の吸収性物品。
【請求項２７】  各エラストマー性サイドパネルは、閉じ込めフラップを含む中間要素への結合を通じて前記矩形複合構造体に間接的に結合されていることを特徴とする請求項２４に記載の吸収性物品。
【請求項２８】  前記第１及び第２の固定用構成要素は、前記対応する第１及び第２の後部サイドパネルの各々に結合され、前記第１及び第２の受け側固定用構成要素は、前記対応する第１及び第２の前部サイドパネルの各々に結合されていることを特徴とする請求項２２に記載の吸収性物品。
【請求項２９】  前記第１及び第２の固定用構成要素の間の横方向距離は、前記第１及び第２の受け側固定用構成要素の間の横方向距離と実質的に等しいことを特徴とする請求項２８に記載の吸収性物品。
【請求項３０】  縦軸線、横軸線、前記横軸線に平行な前部及び後部ウェストエッジ、前記前部及び後部ウェストエッジの間に延びる両側の側部エッジ、前記前部ウェストエッジと連続した前部ウェスト領域、前記後部ウェストエッジと連続した後部ウェスト領域、及び、前記前部及び後部ウェスト領域の間に延びてそれらを相互接続する股部領域を形成する吸収性シャーシを備え、該吸収性シャーシは、
身体側ライナ、前記身体側ライナに結合された矩形液体不透過性層、及び前記身体側ライナ及び前記液体不透過性層の間に配置された吸収体アセンブリ、
前記矩形液体不透過性層の衣類に面した表面に結合されて前記液体不透過性と共に外側カバーを形成する、延伸可能であるが非弾性の外側不織層、及び
前記前部ウェスト領域において前記矩形液体不透過性層に結合された第１及び第２のエラストマー性前部サイドパネル、及び前記後部ウェスト領域において前記矩形液体不透過性層に結合された第１及び第２のエラストマー性後部サイドパネル、
を含み、
前記サイドパネルの各々が、前記外側不織層の一体化部分を含み、かつ各サイドパネルが、前記矩形液体不透過性層から横方向外向きに突出しており、
吸収性物品をパンツ状の形態で解除自在に固定するための固定装置が設けられ、該固定装置は、対応する前記第１及び第２の後部サイドパネルの各々に配置された第１及び第２の固定用構成要素を含み、該固定用構成要素が対応する前記第１及び第２の前部サイドパネルの各々に配置された第１及び第２の受け側固定用構成要素に解除自在に係合するようになっている、
ことを特徴とする吸収性物品。
【請求項３１】  各エラストマー性サイドパネルは、遠位エッジを形成し、
各前部サイドパネルは、前記遠位エッジと前記前部中央パネルの間に配置された内部部分を含み、各後部サイドパネルは、前記遠位エッジと前記後部中央パネルの間に配置された内部部分を含み、
各サイドパネルは、その前記内部部分に配置された一片の弾性材料を含む、
ことを特徴とする請求項３０に記載の吸収性物品。
【請求項３２】  左前部エラストマー性サイドパネルは、左後部エラストマー性サイドパネル横方向幅に等しい横方向幅を形成し、右前部エラストマー性サイドパネルは、右後部エラストマー性サイドパネル横方向幅に等しい横方向幅を形成することを特徴とする請求項３１に記載の吸収性物品。
【請求項３３】  前記第１及び第２の固定用構成要素は、前記対応する第１及び第２の後部サイドパネルの各々に結合され、前記第１及び第２の受け側固定用構成要素は、前記対応する第１及び第２の前部サイドパネルの各々に結合されていることを特徴とする請求項３０に記載の吸収性物品。
【請求項３４】  前記第１及び第２の固定用構成要素間の横方向距離は、前記第１及び第２の受け側固定用構成要素間の横方向距離と実質的に等しいことを特徴とする請求項３３に記載の吸収性物品。